(57)【要約】      （修正有）【課題】ユーザの耳による押圧の有無と程度如何に関わらず全周波数領域に亘り均一な音圧レベルを維持する表示装置を提供する。【解決手段】表示装置１０は、映像を表示する表示パネル、物体のタッチを感知するタッチ感知装置、第１音響データと第２音響データに基づいて第１音響駆動信号と第２音響駆動信号を生成して出力する音響駆動部及び第１音響駆動信号と第２音響駆動信号に基づいて音響を発生する音響発生装置を備える。タッチ感知装置により、物体のタッチが感知されていない第１モードと、タッチ感知装置により、物体のタッチが感知された第２’モードの場合、発生する音響の音圧レベルは、第１周波数領域で第１音圧レベルと第２音圧レベルとの間にある。【選択図】図１１
2020058013.tif 000002
【特許請求の範囲】
【請求項１】
映像を表示する表示パネル、
物体のタッチを感知するタッチ感知装置、
第１音響データと第２音響データに基づいて第１音響駆動信号と第２音響駆動信号を生成して出力する音響駆動部、及び、
前記第１音響駆動信号と前記第２音響駆動信号に基づいて音響を発生する音響発生装置を備え、
前記タッチ感知装置により前記物体のタッチが感知されていない第１モードと前記タッチ感知装置により前記物体のタッチが感知された第２’モードの場合、前記音響の音圧レベルは第１周波数領域で第１音圧レベルと第２音圧レベルとの間にある、ことを特徴とする表示装置。
【請求項２】
前記第１モードと前記第２’モードの場合、前記音響の音圧レベルは、前記第１周波数領域よりも高い第２周波数領域で、前記第１音圧レベルよりも高い第３音圧レベルと前記第２音圧レベルとの間にある、ことを特徴とする請求項１に記載の表示装置。
【請求項３】
前記第１モードと前記第２’モードの場合、前記音響の音圧レベルは、前記第２周波数領域よりも高い第３周波数領域で前記第１音圧レベルと前記第２音圧レベルとの間にある、ことを特徴とする請求項２に記載の表示装置。
【請求項４】
前記音響の音圧レベルは、２００Ｈｚ乃至５ｋＨｚで、前記第１音圧レベルよりも高い第３音圧レベルと前記第２音圧レベルとの間にある、ことを特徴とする請求項１に記載の表示装置。
【請求項５】
前記タッチ感知装置は、前記表示パネルの第１面上に配置され、
前記音響発生装置は、前記表示パネルの第１面の反対面である第２面上に配置される、ことを特徴とする請求項１に記載の表示装置。
【請求項６】
前記物体が押圧する圧力を感知する圧力感知装置をさらに備え、
前記第２’モードの場合において、前記圧力が第１圧力以下である第２モードと前記圧力が第１圧力よりも大きく第２圧力以下である第３モードの場合、前記音響の音圧レベルは、前記第１周波数領域で前記第１音圧レベルと前記第２音圧レベルとの間にある、ことを特徴とする請求項１に記載の表示装置。
【請求項７】
前記タッチ感知装置は、前記表示パネルの第１面上に配置され、
前記音響発生装置は、前記表示パネルの第１面の反対面である第２面上に配置され、
前記圧力感知装置は、前記音響発生装置が配置される領域を除いて前記表示パネルの第２面上に配置される、ことを特徴とする請求項６に記載の表示装置。
【請求項８】
前記第２モードと前記第３モードの場合、前記音響の音圧レベルは、前記第１周波数領域よりも高い第２周波数領域で、前記第１音圧レベルよりも高い第３音圧レベルと前記第２音圧レベルとの間にある、ことを特徴とする請求項６に記載の表示装置。
【請求項９】
前記第２モードと前記第３モードの場合、前記音響の音圧レベルは、前記第２周波数領域よりも高い第３周波数領域で前記第１音圧レベルと前記第２音圧レベルとの間にある、ことを特徴とする請求項８に記載の表示装置。
【請求項１０】
前記音響の音圧レベルは、２００Ｈｚ乃至５ｋＨｚで、前記第１音圧レベルよりも高い第３音圧レベルと前記第２音圧レベルとの間にある、ことを特徴とする請求項６に記載の表示装置。
【請求項１１】
前記圧力が前記第２圧力よりも大きい第４モードの場合、前記音響の音圧レベルは２ｋＨｚ以上の周波数領域で減少する、ことを特徴とする請求項８に記載の表示装置。
【請求項１２】
前記第４モードの場合、前記音響の音圧レベルは、５ｋＨｚ以上の周波数領域で前記第３音圧レベルよりも低い第４音圧レベル以下である、ことを特徴とする請求項１１に記載の表示装置。
【請求項１３】
前記第２’モードの場合において、前記タッチ感知装置により感知された前記物体の接触面積が第１面積以下である第２モードと、前記物体の接触面積が前記第１面積より大きく第２面積以下である第３モードの場合、前記音響の音圧レベルは前記第１周波数領域で前記第１音圧レベルと前記第２音圧レベルとの間にある、ことを特徴とする請求項１に記載の表示装置。
【請求項１４】
前記第２モードと前記第３モードの場合、前記音響の音圧レベルは、前記第１周波数領域よりも高い第２周波数領域で、前記第１音圧レベルよりも高い第３音圧レベルと前記第２音圧レベルとの間にある、ことを特徴とする請求項１３に記載の表示装置。
【請求項１５】
前記第２モードと前記第３モードの場合、前記音響の音圧レベルは、前記第２周波数領域よりも高い第３周波数領域で前記第１音圧レベルと前記第２音圧レベルとの間にある、ことを特徴とする請求項１３に記載の表示装置。
【請求項１６】
前記音響の音圧レベルは、２００Ｈｚ乃至５ｋＨｚで、前記第１音圧レベルよりも高い第３音圧レベルと前記第２音圧レベルとの間にある、ことを特徴とする請求項１３に記載の表示装置。
【請求項１７】
前記物体の接触面積が前記第２面積よりも大きい第４モードの場合、前記音響の音圧レベルは２ｋＨｚ以上の周波数領域で減少する、請求項１４に記載の表示装置。
【請求項１８】
前記第４モードの場合、前記音響の音圧レベルは、５ｋＨｚ以上の周波数領域で、前記第３音圧レベルよりも低い第４音圧レベル以下である、ことを特徴とする請求項１７に記載の表示装置。
【請求項１９】
前記第１音響データと前記第２音響データを前記第１周波数領域、前記第１周波数領域よりも高い第２周波数領域、及び前記第２周波数領域よりも高い第３周波数領域別に変調するデジタル信号処理部をさらに備える、ことを特徴とする請求項１に記載の表示装置。
【請求項２０】
前記音響駆動部は、
前記デジタル信号処理部により変調された第１音響データと前記第２音響データを、アナログ信号である第１駆動電圧と第２駆動電圧に変換するデジタルアナログ変換部、及び
前記第１駆動電圧と前記第２駆動電圧を増幅して出力する増幅部を含む、ことを特徴とする請求項１９に記載の表示装置。
【発明の詳細な説明】
【技術分野】
【０００１】
本発明は、表示装置に関する。
【背景技術】
【０００２】
情報化社会が発展するにつれて、映像を表示するための表示装置への要求が様々な形で増加している。例えば、表示装置は、スマートフォン、デジタルカメラ、ノートパソコン、ナビゲーション、及びスマートテレビなどの様々な電子機器に適用されている。表示装置は、映像を表示するための表示パネル、及び音響を提供するための音響発生装置を含む。
【０００３】
表示装置がスマートフォンとして実現される場合、ユーザは、通話モードで耳を表示装置に接触させて通話することも、接触させずに通話することもできる。また、通話モードでユーザごとに耳で表示装置を押圧する圧力が異なる。ところが、ユーザが通話モードで耳を表示装置に接触させるか否かと、接触している場合に耳が表示装置を押圧する圧力に応じて、音響発生装置によって提供される音響の周波数による音圧レベルは異なる。従って、通話モードで高品質の音響をユーザに提供するためには、ユーザの耳が表示装置に接触するか否かと、接触している場合に耳が表示装置を押圧する圧力に応じて、音響の周波数による音圧レベルを調整する必要がある。
【発明の概要】
【発明が解決しようとする課題】
【０００４】
本発明が解決しようとする課題は、ユーザの耳が表示装置の前面に接触するか否かと、接触している場合にユーザの耳が表示装置の前面を押圧する圧力に関係なく、低周波数領域、中周波数領域及び高周波数領域の何れでも音響の音圧レベルを均一に維持することにより、高品質の音響を提供できる表示装置を提供することである。
本発明の課題は上述した課題に制限されず、上述していない別の技術的課題は以下の記載から当業者に明確に理解されるであろう。
【課題を解決するための手段】
【０００５】
上記の課題を解決するための一実施形態に係る表示装置は、映像を表示する表示パネル、物体のタッチを感知するタッチ感知装置、第１音響データと第２音響データに基づいて第１音響駆動信号と第２音響駆動信号を生成して出力する音響駆動部、及び、前記第１音響駆動信号と前記第２音響駆動信号に基づいて音響を発生する音響発生装置を備え、前記タッチ感知装置により前記物体のタッチが感知されていない第１モードと前記タッチ感知装置により前記物体のタッチが感知された第２’モードの場合、前記音響の音圧レベルは第１周波数領域で第１音圧レベルと第２音圧レベルとの間にある。
【０００６】
前記第１モードと前記第２モードの場合、前記音響の音圧レベルは、前記第１周波数領域よりも高い第２周波数領域で、前記第１音圧レベルよりも高い第３音圧レベルと前記第２音圧レベルとの間にある。
前記第１モードと前記第２モードの場合、前記音響の音圧レベルは、前記第２周波数領域よりも高い第３周波数領域で前記第１音圧レベルと前記第２音圧レベルとの間にある。
前記音響の音圧レベルは、２００Ｈｚ乃至５ｋＨｚで、前記第１音圧レベルよりも高い第３音圧レベルと前記第２音圧レベルとの間にある。
前記タッチ感知装置は、前記表示パネルの第１面上に配置され、前記音響発生装置は、前記表示パネルの第１面の反対面である第２面上に配置される。
前記物体が押圧する圧力を感知する圧力感知装置をさらに備え、前記第２’モードの場合において、前記圧力が第１圧力以下である第２モードと前記圧力が第１圧力よりも大きく第２圧力以下である第３モードの場合、前記音響の音圧レベルは、前記第１周波数領域で前記第１音圧レベルと前記第２音圧レベルとの間にある。
前記タッチ感知装置は、前記表示パネルの第１面上に配置され、前記音響発生装置は、前記表示パネルの第１面の反対面である第２面上に配置され、前記圧力感知装置は、前記音響発生装置が配置される領域を除いて前記表示パネルの第２面上に配置される。
前記第２モードと前記第３モードの場合、前記音響の音圧レベルは、前記第１周波数領域よりも高い第２周波数領域で、前記第１音圧レベルよりも高い第３音圧レベルと前記第２音圧レベルとの間にある。
前記第２モードと前記第３モードの場合、前記音響の音圧レベルは、前記第２周波数領域よりも高い第３周波数領域で前記第１音圧レベルと前記第２音圧レベルとの間にある。
前記音響の音圧レベルは、２００Ｈｚ乃至５ｋＨｚで、前記第１音圧レベルよりも高い第３音圧レベルと前記第２音圧レベルとの間にある。
前記圧力が前記第２圧力よりも大きい第４モードの場合、前記音響の音圧レベルは２ｋＨｚ以上の周波数領域で減少する。
前記第４モードの場合、前記音響の音圧レベルは、５ｋＨｚ以上の周波数領域で、前記第３音圧レベルよりも低い第４音圧レベル以下である。
前記第２’モードの場合において、前記タッチ感知装置により感知された前記物体の接触面積が第１面積以下である第２モードと、前記物体の接触面積が前記第１面積よりも大きく第２面積以下である第３モードの場合、前記音響の音圧レベルは前記第１周波数領域で前記第１音圧レベルと前記第２音圧レベルとの間にある。
前記第２モードと前記第３モードの場合、前記音響の音圧レベルは、前記第１周波数領域よりも高い第２周波数領域で、前記第１音圧レベルよりも高い第３音圧レベルと前記第２音圧レベルとの間にある。
前記第２モードと前記第３モードの場合、前記音響の音圧レベルは、前記第２周波数領域よりも高い第３周波数領域で前記第１音圧レベルと前記第２音圧レベルとの間にある。
前記音響の音圧レベルは、２００Ｈｚ乃至５ｋＨｚで、前記第１音圧レベルよりも高い第３音圧レベルと前記第２音圧レベルとの間にある。
前記物体の接触面積が前記第２面積よりも大きい第４モードの場合、前記音響の音圧レベルは２ｋＨｚ以上の周波数領域で減少する。
前記第４モードの場合、前記音響の音圧レベルは、５ｋＨｚ以上の周波数領域で、前記第３音圧レベルよりも低い第４音圧レベル以下である。
前記第１音響データと前記第２音響データを前記第１周波数領域、前記第１周波数領域よりも高い第２周波数領域、及び前記第２周波数領域よりも高い第３周波数領域別に変調するデジタル信号処理部をさらに備える。
前記音響駆動部は、前記デジタル信号処理部により変調された第１音響データと前記第２音響データを、アナログ信号である第１駆動電圧と第２駆動電圧に変換するデジタルアナログ変換部、及び前記第１駆動電圧と前記第２駆動電圧を増幅して出力する増幅部を含む。
その他の実施形態の具体的な事項は詳細な説明及び図面に含まれている。
【発明の効果】
【０００７】
一実施形態に係る表示装置によれば、タッチ感知装置によって、ユーザの耳が表示装置の前面に接触するか否かを感知し、圧力感知装置によって、ユーザの耳が表示装置の前面を押圧する圧力を感知することにより、ユーザの耳の接触有無と接触した圧力を考慮して第１音響データと第２音響データを変調できるので、周波数領域別に音圧レベルを上げたり下げたりすることができる。よって、ユーザの耳が表示装置の前面に接触するか否かとユーザの耳が表示装置の前面を押圧する圧力に関係なく、低周波数領域、中周波数領域及び高周波数領域の何れでも音響の音圧レベルを均一に維持できるので、高品質の音響を提供できる。
【０００８】
また、別の実施形態に係る表示装置によれば、圧力感知装置の代わりにタッチ感知装置を用いて感知されたユーザの耳の接触面積を判断することにより、ユーザの耳が表示装置の前面を押圧する圧力を判断することができる。よって、表示装置の前面から押圧する圧力を感知するための圧力感知装置を省略することができる。
実施形態に係る効果は以上で例示された内容によって制限されず、さらに様々な効果が本明細書中に含まれている。
【図面の簡単な説明】
【０００９】
【図１】一実施形態に係る表示装置を示す斜視図である。
【図２】一実施形態に係る表示装置の分解斜視図である。
【図３】図２の表示装置におけるパネル下部部材、第１音響発生装置、音響回路ボード、表示回路ボード及びタッチ回路ボードを示す背面図である。
【図４】図３のＩ−Ｉ’の一例を示す断面図である。
【図５】図４の表示パネル３００の表示領域を詳細に示す断面図である。
【図６】図４のＡ領域の拡大断面図である。
【図７】図３の第１音響発生装置を示す平面図である。
【図８】図７のＩＩ−ＩＩ’の一例を示す断面図である。
【図９】第１音響発生装置の振動を説明するための一例示図である。
【図１０】ユーザの耳と表示装置とが接触しない場合、圧力なしに接触する場合、第１圧力で接触する場合、及び第２圧力で接触する場合における、ユーザの耳に提供された音響の周波数による音圧レベルを示すグラフである。
【図１１】（ａ）は表示装置がユーザの耳に接触する場合を示す一例示図であり、              （ｂ）は表示装置がユーザの耳に接触しない場合を示す一例示図である。
【図１２】一実施形態に係る表示装置のメインプロセッサ、音響駆動部、第１音響発生装置、タッチ駆動部、タッチ感知装置、圧力駆動部、及び圧力感知装置を示すブロック図である。
【図１３】図１２のメインプロセッサと音響駆動部の一例を示すブロック図である。
【図１４】一実施形態に係る表示装置の駆動方法を示すフローチャートである。
【図１５】第１モードで第１音響発生装置が出力する音響の周波数による音圧レベルと、第１音響発生装置に印加される駆動電圧の増減を示す（ａ）グラフ及び（ｂ）表である。
【図１６】第２モードで第１音響発生装置が出力する音響の周波数による音圧レベルと、第１音響発生装置に印加される駆動電圧の増減を示す（ａ）グラフ及び（ｂ）表である。
【図１７】第３モードで第１音響発生装置が出力する音響の周波数による音圧レベルと、第１音響発生装置に印加される駆動電圧の増減を示す（ａ）グラフ及び（ｂ）表である。
【図１８】表示装置の前面が物体に接触していない場合の、第１音響発生装置から発生した音響の指向性を示す一例示図である。
【図１９】表示装置の前面が物体に接触した場合の、第１音響発生装置によって発生した音響の指向性を示す一例示図である。
【図２０】第４モードで第１音響発生装置によって発生した音響の周波数に対する音圧レベルを示すグラフである。
【図２１】別の実施形態に係る表示装置の駆動方法を示すフローチャートである。
【図２２】（ａ）及び（ｂ）は、表示装置に接触したユーザの耳の接触面積を示す２つの例示図である。
【発明を実施するための形態】
【００１０】
本発明の利点、特徴、及びそれらを達成する方法は、添付図面と共に詳細に後述されている実施形態を参照すると明確になるであろう。しかし、本発明は、以下で開示する実施形態に限定されず、互いに異なる多様な形態で実現され得る。但し、本実施形態は、単に本発明の開示を完全にし、本発明の属する技術分野における通常の知識を有する者に発明の範疇を完全に報らせるために提供される。本発明は、請求項の範疇によってのみ定められる。
【００１１】
素子（ｅｌｅｍｅｎｔ）又は層（ｌａｙｅｒ）が他の素子又は層の「上（ｏｎ）」にあると記載された場合は、他の素子又は層の真上に存在する場合又はそれらの間に別の層又は別の素子が介在している場合を全て含む。明細書全体にわたって、同一の参照符号は同一の構成要素を指し示す。実施形態を説明するための図面に開示された形状、大きさ、比率、角度、個数などは例示的なものなので、本発明は図示された事項に限定されるものではない。
【００１２】
たとえ「第１」、「第２」などの用語は様々な構成要素を叙述するために使用されるが、これらの構成要素はこれらの用語によって限定されないのは勿論である。これらの用語は、単に一つの構成要素を他の構成要素と区別するために使用される。よって、以下で言及される第１構成要素は本発明の技術的思想内で第２構成要素であり得る。
【００１３】
本発明の様々な実施形態の各々の特徴が部分的又は全体的に互いに結合又は組み合わせ可能であり、技術的に様々な連動及び駆動が可能であり、各実施形態を互いに対して独立に実施することも、連関関係で一緒に実施することもできる。
以下、添付図面を参照して具体的な実施形態について説明する。
【００１４】
図１は一実施形態に係る表示装置を示す斜視図である。図２は一実施形態に係る表示装置の分解斜視図である。
図１及び図２では、一実施形態に係る表示装置が携帯端末であることを例示した。携帯端末は、スマートフォン、タブレットＰＣ、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、ゲーム機、腕時計型電子機器などを含み得る。しかし、一実施形態に係る表示装置は、携帯端末に限定されず、テレビや屋外広告板などの大型電子機器を始めとして、モニター、ノートパソコン、自動車ナビ装置、カメラなどの中小型電子機器などに使用できる。
【００１５】
図１及び図２を参照すると、一実施形態に係る表示装置１０は、カバーウィンドウ１００、タッチ感知装置２００、タッチ回路ボード２１０、表示パネル３００、表示回路ボード３１０、パネル下部部材４００、第１音響発生装置５００、音響回路ボード６００、圧力感知装置２５０、下部ブラケット８００、メイン回路ボード９１０、及び下部カバー９００を含む。
【００１６】
本明細書において、「上方」、「トップ」、「上面」は、表示パネル３００を基準にカバーウィンドウ１００が配置される方向、即ち第３方向（Ｚ軸方向）を示し、「下部」、「下方」、「ボトム」、「下面」は、表示パネル３００を基準にパネル下部部材４００が配置される方向、即ちＺ軸方向の反対方向を示す。
【００１７】
表示装置１０は、平面視において、長方形の形状からなり得る。例えば、表示装置１００の平面視形状は、図１に示すように、第１方向（Ｘ軸方向）の短辺と第２方向（Ｙ軸方向）の長辺を有する長方形の形状であり得る。第１方向（Ｘ軸方向）の短辺と第２方向（Ｙ軸方向）の長辺とが交差する角は、図１に示すように、所定の曲率を持つように丸く形成されるか、或いは直角に形成され得る。表示装置１０の平面視形状は、長方形に限定されず、他の多角形、円形又は楕円形であり得る。
【００１８】
カバーウィンドウ１００は、表示パネル３００の上面をカバーするように表示パネル３００の上方に配置できる。これにより、カバーウィンドウ１００は、表示パネル３００の上面を保護する機能を果たし得る。カバーウィンドウ１００は、図４に示すように、接着層１１０を介してタッチ感知装置２００に付着できる。接着層１１０は、透明接着フィルム（ｏｐｔｉｃａｌｌｙ  ｃｌｅａｒｅｄ  ａｄｈｅｓｉｖｅ  ｆｉｌｍ、ＯＣＡ）又は透明接着樹脂（ｏｐｔｉｃａｌｌｙ  ｃｌｅａｒｅｄ  ｒｅｓｉｎ、ＯＣＲ）であり得る。
【００１９】
カバーウィンドウ１００は、表示パネル３００の表示領域ＤＡに対応する透過部（ＤＡ１００）と、表示パネル３００の非表示領域ＮＤＡに対応する遮光部（ＮＤＡ１００）とを含み得る。カバーウィンドウ１００の遮光部（ＮＤＡ１００）は不透明に形成できる。また、カバーウィンドウ１００の遮光部（ＮＤＡ１００）は、画像を表示しない場合にユーザに見せることが可能なパターンが形成されたデコ層で形成できる。例えば、カバーウィンドウ１００の遮光部ＮＤＡ１００には、例えば「ＳＡＭＳＵＮＧ」などの会社のロゴ又は様々な文字をパターニングできる。
【００２０】
カバーウィンドウ１００は、ガラス、サファイア、及び／又はプラスチックからなり得る。カバーウィンドウ１００は、リジッド（ｒｉｇｉｄ）又はフレキシブル（ｆｌｅｘｉｂｌｅ）に形成できる。
【００２１】
カバーウィンドウ１００と表示パネル３００との間にはタッチ感知装置２００が配置できる。タッチ感知装置２００は、ユーザのタッチ位置を感知するための装置であって、自己容量（ｓｅｌｆ−ｃａｐａｃｉｔａｎｃｅ）方式又は相互容量（ｍｕｔｕａｌ  ｃａｐａｃｉｔａｎｃｅ）方式などの静電容量方式で具現されるか、或いは赤外線方式で具現され得る。
【００２２】
タッチ感知装置２００はパネル状又はフィルム状に形成できる。この場合、タッチ感知装置２００は表示パネル３００と一体に形成できる。例えば、タッチ感知装置２００がフィルム状に形成される場合、表示パネル３００を封止するためのバリアフィルム（ｂａｒｒｉｅｒ  ｆｉｌｍ）と一体に形成できる。
【００２３】
タッチ感知装置２００の一側にはタッチ回路ボード２１０が付着できる。具体的には、タッチ回路ボード２１０は、異方性導電フィルム（ａｎｉｓｏｔｒｏｐｉｃ  ｃｏｎｄｕｃｔｉｖｅ  ｆｉｌｍ）を用いて、タッチ感知装置２００の一側に設けられたパッド上に付着できる。また、タッチ回路ボード２１０には、図２に示すように、タッチ接続部２３０が設けられ得る。タッチ接続部２３０は表示回路ボード３１０の第１コネクタ３３０に接続できる。タッチ回路ボード２１０はフレキシブルプリント回路基板（ｆｌｅｘｉｂｌｅ  ｐｒｉｎｔｅｄ  ｃｉｒｃｕｉｔ  ｂｏａｒｄ）又はチップオンフィルム（ｃｈｉｐ  ｏｎ  ｆｉｌｍ）であり得る。
【００２４】
タッチ駆動部２２０は、タッチ感知装置２００にタッチ駆動信号を印加し、タッチ感知装置２００から感知信号を感知し、感知信号を分析してユーザのタッチ位置を算出できる。タッチ駆動部２２０は、集積回路（ｉｎｔｅｇｒａｔｅｄ  ｃｉｒｃｕｉｔ）で形成され、タッチ回路ボード２１０上に装着できる。
【００２５】
表示パネル３００は表示領域ＤＡと非表示領域ＤＮＡを含み得る。表示領域ＤＡは、映像が表示される領域であり、非表示領域ＮＤＡは、映像が表示されない領域であって、表示領域ＮＤＡの周辺領域であり得る。非表示領域ＮＤＡは、図１及び図２に示すように、表示領域ＤＡを取り囲むように配置できるが、これに限定されない。表示領域ＤＡはカバーウィンドウ１００の透過部１００ＤＡに重畳し、非表示領域ＮＤＡはカバーウィンドウ１００の遮光部１００ＮＤＡが重畳するように配置できる。
【００２６】
表示パネル３００は、発光素子（ｌｉｇｈｔ  ｅｍｉｔｔｉｎｇ  ｅｌｅｍｅｎｔ）を含む発光表示パネルであり得る。例えば、表示パネル３００は、有機発光ダイオード（ｏｒｇａｎｉｃ  ｌｉｇｈｔ  ｅｍｉｔｔｉｎｇ  ｄｉｏｄｅ）を用いる有機発光表示パネル、及び超小型発光ダイオード（ｍｉｃｒｏ  ＬＥＤ）を用いる超小型発光ダイオード表示パネル、及び量子ドット発光素子（Ｑｕａｎｔｕｍ  ｄｏｔ  Ｌｉｇｈｔ  Ｅｍｉｔｔｉｎｇ  Ｄｉｏｄｅ）を含む量子ドット発光表示パネルであり得る。以下では、表示パネル３００が図５のように有機発光表示パネルである場合を中心に説明する。
【００２７】
図５を参照すると、表示パネル３００の表示領域ＤＡは発光素子層３０４が形成されて映像を表示する領域を示し、非表示領域ＮＤＡは表示領域ＤＡの周辺領域を示す。
【００２８】
表示パネル３００は、支持基板３０１、フレキシブル基板３０２、薄膜トランジスタ層３０３、発光素子層３０４、封止層３０５、及びバリアフィルム３０６を含み得る。
【００２９】
支持基板３０１上にはフレキシブル基板３０２が配置される。支持基板３０１とフレキシブル基板３０２各々は、柔軟性を持つ高分子物質を含み得る。例えば、支持基板３０１とフレキシブル基板３０２各々は、ポリエーテルスルホン（ｐｏｌｙｅｔｈｅｒｓｕｌｐｈｏｎｅ：ＰＥＳ）、ポリアクリレート（ｐｏｌｙａｃｒｙｌａｔｅ：ＰＡ）、ポリアリレート（ｐｏｌｙａｒｙｌａｔｅ：ＰＡＲ）、ポリエーテルイミド（ｐｏｌｙｅｔｈｅｒｉｍｉｄｅ：ＰＥＩ）、ポリエチレンナフタレート（ｐｏｌｙｅｔｈｙｌｅｎｅｎａｐｈｔｈａｌａｔｅ：ＰＥＮ）、ポリエチレンテレフタレート（ｐｏｌｙｅｔｈｙｌｅｎｅｔｅｒｅｐｈｔｈａｌａｔｅ：ＰＥＴ）、ポリフェニレンスルフィド（ｐｏｌｙｐｈｅｎｙｌｅｎｅｓｕｌｆｉｄｅ：ＰＰＳ）、ポリアリレート（ｐｏｌｙａｌｌｙｌａｔｅ）、ポリイミド（ｐｏｌｙｉｍｉｄｅ：ＰＩ）、ポリカーボネート（ｐｏｌｙｃａｒｂｏｎａｔｅ：ＰＣ）、セルローストリアセテート（ｃｅｌｌｕｌｏｓｅ  ｔｒｉａｃｅｔａｔｅ：ＣＡＴ）、セルロースアセテートプロピオネート（ｃｅｌｌｕｌｏｓｅ  ａｃｅｔａｔｅ  ｐｒｏｐｉｏｎａｔｅ：ＣＡＰ）又はこれらの組み合わせであり得る。
【００３０】
フレキシブル基板３０２上には薄膜トランジスタ３０３が形成される。薄膜トランジスタ層３０３は薄膜トランジスタ３３５、ゲート絶縁膜３３６、層間絶縁膜３３７、保護膜３３８、及び平坦化膜３３９を含む。
【００３１】
フレキシブル基板３０２上にはバッファ膜が形成できる。バッファ膜（図示せず）は、透湿性に関して脆弱な支持基板３０１とフレキシブル基板３０２を介して浸透する水分から薄膜トランジスタ３３５と発光素子を保護するためにフレキシブル基板３０２上に形成され得る。バッファ膜は、交番に積層された複数の無機膜からなり得る。例えば、バッファ膜は、シリコン酸化膜（ＳｉＯｘ）、シリコン窒化膜（ＳｉＮｘ）及びシリコン酸窒化膜（ＳｉＯＮ）の少なくとも一つの無機膜が交番に積層された多重膜で形成できる。バッファ膜は省略できる。
【００３２】
バッファ膜上には薄膜トランジスタ３３５が形成される。薄膜トランジスタ３３５は、アクティブ層３３１、ゲート電極３３２、ソース電極３３３及びドレイン電極３３４を含む。図５では、薄膜トランジスタ３３５が、ゲート電極３３２がアクティブ層３３１の上方に位置する上方ゲート（トップゲート（ｔｏｐ  ｇａｔｅ））方式で形成されたことを例示したが、これに限定されないことに注意すべきである。即ち、薄膜トランジスタ３３５は、ゲート電極３３２がアクティブ層３３１の下方に位置する下部ゲート（ボトムゲート（ｂｏｔｔｏｍ  ｇａｔｅ）方式又はゲート電極３３２がアクティブ層３３１の上方と下方の両方ともに位置するダブルゲート（ｄｏｕｂｌｅ  ｇａｔｅ）方式で形成できる。
【００３３】
バッファ膜上にはアクティブ層３３１が形成される。アクティブ層３３１はシリコン系半導体物質又は酸化物系半導体物質で形成できる。バッファ膜とアクティブ層３３１との間には、アクティブ層３３１に入射する外部光を遮断するための遮光層（図示せず）が形成され得る。
【００３４】
アクティブ層３３１上にはゲート絶縁膜３３６が形成できる。ゲート絶縁膜３１６は無機膜、例えばシリコン酸化膜（ＳｉＯｘ）、シリコン窒化膜（ＳｉＮｘ）、又はこれらの多重膜で形成できる。
【００３５】
ゲート絶縁膜３３６上にはゲート電極３３２とゲートラインが形成できる。ゲート電極３３２とゲートラインは、モリブデン（Ｍｏ）、アルミニウム（Ａｌ）、クロム（Ｃｒ）、金（Ａｕ）、チタニウム（Ｔｉ）、ニッケル（Ｎｉ）、ネオジム（Ｎｄ）及び銅（Ｃｕ）の何れか１種又はこれらの合金からなる単一層又は多重層で形成できる。
【００３６】
ゲート電極３３２とゲートライン上には層間絶縁膜３３７が形成できる。層間絶縁膜３３７は、無機膜、例えばシリコン酸化膜（ＳｉＯｘ）、シリコン窒化膜（ＳｉＮｘ）、又はこれらの多重膜で形成できる。
【００３７】
層間絶縁膜３３７上にはソース電極３３３、ドレイン電極３３４及びデータラインが形成できる。ソース電極３３３とドレイン電極３３４各々は、ゲート絶縁膜３３６と層間絶縁膜３３７を貫通するコンタクトホールを介してアクティブ層３３１に接続できる。ソース電極３３３、ドレイン電極３３４、及びデータラインは、モリブデン（Ｍｏ）、アルミニウム（Ａｌ）、クロム（Ｃｒ）、金（Ａｕ）、チタニウム（Ｔｉ）、ニッケル（Ｎｉ）、ネオジム（Ｎｄ）及び銅（Ｃｕ）の何れか１種又はこれらの合金からなる単一層又は多重層で形成できる。
【００３８】
ソース電極３３３、ドレイン電極３３４及びデータライン上には、薄膜トランジスタ３３５を絶縁するための保護膜３３８が形成できる。保護膜３３８は、無機膜、例えばシリコン酸化膜（ＳｉＯｘ）、シリコン窒化膜（ＳｉＮｘ）、又はこれらの多重膜で形成できる。
【００３９】
保護膜３３８上には、薄膜トランジスタ３３５による段差を平坦にするための平坦化膜３３９が形成できる。平坦化膜３３９は、アクリル樹脂（ａｃｒｙｌ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド樹脂（ｐｏｌｙａｍｉｄｅ  ｒｅｓｉｎ）、ポリイミド樹脂（ｐｏｌｙｉｍｉｄｅ  ｒｅｓｉｎ）などの有機膜で形成できる。
【００４０】
薄膜トランジスタ層３０３上には発光素子層３０４が形成される。発光素子層３０４は発光素子と画素定義膜３４４を含む。
発光素子と画素定義膜３４４は平坦化膜３３９上に形成される。発光素子は、有機発光素子（ｏｒｇａｎｉｃ  ｌｉｇｈｔ  ｅｍｉｔｔｉｎｇ  ｄｅｖｉｃｅ）であり得る。この場合、発光素子は、アノード電極３４１、発光層３４２及びカソード電極３４３を含むことができる。
【００４１】
アノード電極３４１は平坦化膜３３９上に形成できる。アノード電極３４１は、保護膜３３８と平坦化膜３３９を貫通するコンタクトホールを介して薄膜トランジスタ３３５のソース電極３３３に接続できる。
【００４２】
画素定義膜３４４は、画素を区画するために平坦化膜３３９上でアノード電極３４１の縁部を覆うように形成できる。即ち、画素定義膜３４４は、画素を定義する画素定義膜としての役割を果たす。画素各々は、アノード電極３４１、発光層３４２及びカソード電極３４３が順次積層され、アノード電極３４１からの正孔とカソード電極３４３からの電子とが発光層３４２で互いに結合されて発光する領域を示す。
【００４３】
アノード電極３４１と画素定義膜３４４上には発光層３４２が形成される。発光層３４２は有機発光層であり得る。発光層３４２は、赤色（ｒｅｄ）光、緑色（ｇｒｅｅｎ）光及び青色（ｂｌｕｅ）光の何れかを発光することができる。赤色光のピーク波長範囲は約６２０ｎｍ乃至７５０ｎｍであり、緑色光のピーク波長範囲は約４９５ｎｍ乃至５７０ｎｍであり得る。また、青色光のピーク波長範囲は約４５０ｎｍ乃至４９５ｎｍであり得る。又は、発光層３４２は、白色光を発光する白色発光層であり得る。この場合、赤色発光層、緑色発光層及び青色発光層が積層された形態を持つことができ、画素に共通して形成される共通層であり得る。この場合、表示パネル３００は、赤色、緑色及び青色を表示するための別途のカラーフィルタ（Ｃｏｌｏｒ  Ｆｉｌｔｅｒ）をさらに含むこともできる。
【００４４】
発光層３４２は、正孔輸送層（ｈｏｌｅ  ｔｒａｎｓｐｏｒｔｉｎｇ  ｌａｙｅｒ）、発光層（ｌｉｇｈｔ  ｅｍｉｔｔｉｎｇ  ｌａｙｅｒ）、及び電子輸送層（ｅｌｅｃｔｒｏｎ  ｔｒａｎｓｐｏｒｔｉｎｇ  ｌａｙｅｒ）を含み得る。また、発光層３４２は、２スタック（ｓｔａｃｋ）以上のタンデム構造で形成できる。この場合、スタック同士の間には電荷生成層が形成できる。
【００４５】
カソード電極３４３は発光層３４２上に形成される。第２電極３４３は発光層３４２を覆うように形成できる。第２電極３４３は、全画素に共通して形成される共通層であり得る。
【００４６】
発光素子層３０４が上方方向に発光する上方発光（ｔｏｐ  ｅｍｉｓｓｉｏｎ）方式で形成される場合、アノード電極３４１は、アルミニウムとチタンの積層構造（Ｔｉ／Ａｌ／Ｔｉ）、アルミニウムとＩＴＯの積層構造（ＩＴＯ／Ａｌ／ＩＴＯ）、ＡＰＣ合金、及びＡＰＣ合金とＩＴＯの積層構造（ＩＴＯ／ＡＰＣ／ＩＴＯ）などの反射率の高い金属物質で形成できる。ＡＰＣ合金は、銀（Ａｇ）、パラジウム（Ｐｄ）及び銅（Ｃｕ）の合金である。また、カソード電極２６３は、光を透過させることが可能なＩＴＯ、ＩＺＯなどの透明な金属物質（ＴＣＯ、Ｔｒａｎｓｐａｒｅｎｔ  Ｃｏｎｄｕｃｔｉｖｅ  Ｍａｔｅｒｉａｌ）、又はマグネシウム（Ｍｇ）、銀（Ａｇ）、又はマグネシウム（Ｍｇ）と銀（Ａｇ）の合金などの半透過金属物質（Ｓｅｍｉ−ｔｒａｎｓｍｉｓｓｉｖｅ  Ｃｏｎｄｕｃｔｉｖｅ  Ｍａｔｅｒｉａｌ）で形成できる。カソード電極３４３が半透過金属物質で形成される場合、微細共振（ｍｉｃｒｏ−ｃａｖｉｔｙ）によって出光効率を高くできる。
【００４７】
発光素子層３０４が下部方向に発光する下部発光（ｂｏｔｔｏｍ  ｅｍｉｓｓｉｏｎ）方式で形成される場合、アノード電極３４１は、ＩＴＯ、ＩＺＯなどの透明な金属物質（ＴＣＯ、Ｔｒａｎｓｐａｒｅｎｔ  Ｃｏｎｄｕｃｔｉｖｅ  Ｍａｔｅｒｉａｌ）又はマグネシウム（Ｍｇ）、銀（Ａｇ）、又はマグネシウム（Ｍｇ）と銀（Ａｇ）の合金などの半透過金属物質（Ｓｅｍｉ−ｔｒａｎｓｍｉｓｓｉｖｅ  Ｃｏｎｄｕｃｔｉｖｅ  Ｍａｔｅｒｉａｌ）で形成できる。第２電極３４３は、アルミニウムとチタンの積層構造（Ｔｉ／Ａｌ／Ｔｉ）、アルミニウムとＩＴＯの積層構造（ＩＴＯ／Ａｌ／ＩＴＯ）、ＡＰＣ合金、及びＡＰＣ合金とＩＴＯの積層構造（ＩＴＯ／ＡＰＣ／ＩＴＯ）などの反射率の高い金属物質で形成できる。アノード電極３４１が半透過金属物質で形成される場合、微細共振（ｍｉｃｒｏ  ｃａｖｉｔｙ）によって出光効率を高くできる。
発光素子層３０４上には封止層３０５が形成される。封止層３０５は、発光層３４２とカソード電極３４３に酸素又は水分が浸透するのを防止する役割を果たす。このため、封止層３０５は、少なくとも一つの無機膜を含み得る。無機膜は、シリコン窒化物、アルミニウム窒化物、ジルコニウム窒化物、チタン窒化物、ハフニウム窒化物、タンタル窒化物、シリコン酸化物、アルミニウム酸化物、又はチタン酸化物で形成できる。また、封止層３０５は、少なくとも一つの有機膜をさらに含み得る。有機膜は、異物（ｐａｒｔｉｃｌｅｓ）が封止層３０５を突き抜いて発光層３４２とカソード電極３４３に突入するのを防止するために十分な厚さに形成できる。有機膜はエポキシ、アクリレート又はウレタンアクリレートの何れかを含み得る。
【００４８】
封止層３０５上にはバリアフィルム３０６が配置される。バリアフィルム３０６は、発光素子層３０４を酸素又は水分から保護するために封止層３０５を覆うように配置される。バリアフィルム３０６はタッチ感知装置２００と一体に形成できる。
【００４９】
表示パネル３００の上面には、外部光の反射による視認性の低下を防止するために、偏光フィルムがさらに付着できる。
表示パネル３００の一側には表示回路ボード３１０が付着できる。具体的には、表示回路ボード３１０は、異方性導電フィルムを用いて、表示パネル３００の一側に設けられたパッドの上に付着できる。
【００５０】
タッチ回路ボード２１０と表示回路ボード３１０は、図４に示すように、表示パネル３００の上方から下方に曲げられ得る。これに比べて、音響回路ボード６００は、パネル下部部材４００の下方に配置されるので、曲げられない。表示回路ボード３１０は、第１コネクタ３３０を介してタッチ回路ボード２１０のタッチ接続部２３０に接続できる。表示回路ボード３１０は、第２コネクタ３４０を介して音響回路ボード６００の音響接続部６２０に接続できる。
図示されていないが、表示回路ボード３１０は、第３コネクタ３５０（図３を参照）を介してメイン回路ボード９１０に接続できる。図２では、表示回路ボード３１０が第１乃至第３コネクタ３３０、３４０、３５０を含むことを例示したが、これに限定されない。例えば、表示回路ボード３１０は、第１及び第２コネクタ３３０、３４０の代わりに、それに対応するパッドを含み得る。この場合、表示回路ボード３１０は、異方性導電フィルムを用いてタッチ回路ボード２１０及び音響回路ボード６００に接続できる。
【００５１】
表示駆動部３２０は、表示回路ボード３１０を介して表示パネル３００を駆動するための信号と電圧を出力する。表示駆動部３２０は、集積回路で形成されて表示回路基板３１０上に装着できるが、これに限定されない。例えば、表示駆動部３２０は表示パネル３００の一側に付着できる。
【００５２】
パネル下部部材４００は表示パネル３００の下面に配置できる。パネル下部部材４００は、表示パネル３００の熱を効率よく放出するための放熱層、電磁波を遮蔽するための電磁波遮蔽層、外部から入射する光を遮断するための遮光層、外部から入射する光を吸収するための光吸収層、及び外部からの衝撃を吸収するための緩衝層の少なくとも一つを含み得る。
【００５３】
具体的には、図６に示すように、パネル下部部材４００は、光吸収部材４１０、緩衝部材４２０、放熱部材４３０、及び第１乃至第３接着層４４１、４４２、４４３を含み得る。
【００５４】
光吸収部材４１０は表示パネル３００の下方に配置できる。光吸収部材４１０は、光の透過を阻止して光吸収部材４１０の下方に配置された構成部材、即ち第１音響発生装置５００が表示パネル３００の上方から視認されるのを防止する。光吸収部材４１０はブラック顔料や染料などの光吸収物質を含み得る。
【００５５】
緩衝部材４２０は光吸収部材４１０の下方に配置できる。緩衝部材４２０は、外部の衝撃を吸収して、表示パネル３００が破損することを防止する。緩衝部材４２０は、単一層又は複数層からなり得る。例えば、緩衝部材４２０は、ポリウレタン（ｐｏｌｙｕｒｅｔｈａｎｅ）、ポリカーボネート（ｐｏｌｙｃａｒｂｏｎａｔｅ）、ポリプロピレン（ｐｏｌｙｐｒｏｐｙｌｅｎｅ）、ポリエチレン（ｐｏｌｙｅｔｈｙｌｅｎｅ）などの高分子樹脂で形成されるか、或いは、ゴム、ウレタン系物質又はアクリル系物質を発泡成形したスポンジなどの弾性を有する物質を含んで構成できる。緩衝部材４２０はクッション層であり得る。
【００５６】
放熱部材４３０は緩衝部材４２０の下方に配置できる。放熱部材４３０は、少なくとも一つの放熱層を含むことができる。例えば、図７に示すように、放熱部材４３０は、グラファイトやカーボンナノチューブなどを含む第１放熱層４３１、電磁波を遮蔽でき且つ熱伝導性に優れた銅、ニッケル、フェライト、銀などの金属薄膜で形成された第２放熱層４３２、及び第１放熱層４３１と第２放熱層４３２とを接着するための第４接着層４３３を含み得る。
【００５７】
第１接着層４４１は、光吸収部材４１０を表示パネル３００の下面に付着させる。第２接着層４４２は、緩衝部材４２０を光吸収部材４１０の下面に付着させる。第３接着層４４３は、放熱部材４３０を緩衝部材４２０の下面に付着させる。第１乃至第３接着層４４１、４４２、４４３各々は、シリコーン系、ウレタン系、シリコーン−ウレタンハイブリッド構造のＳＵポリマー、アクリル系、イソシアネート系、ポリビニルアルコール系、ゼラチン系、ビニル系、ラテックス系、ポリエステル系、水系ポリエステル系などに分類される高分子物質を含有できる。
【００５８】
第１音響発生装置５００はパネル下部部材４００の下面に配置できる。第１音響発生装置５００がパネル下部部材４００の放熱部材４３０上に配置される場合、第１音響発生装置５００の振動によって放熱部材４３０の第１放熱層４３１又は第２放熱層４３２が破損する怖れがある。よって、第１音響発生装置５００が配置される領域では放熱部材４３０が除去でき、第１音響発生装置５００は緩衝部材４２０上に配置できる。
【００５９】
第１音響発生装置５００は、第１音響信号に応答して振動を発生させることにより、第１音響を出力できる。このため、第１音響発生装置５００は、第１音響信号に応答して変形する振動層５３０によって振動できる。又は、第１音響発生装置５００は、磁石を包み込むコイルに第１音響信号による電流を流すことにより発生する電磁力によって振動できる。以下では、第１音響発生装置５００が振動層５３０によって振動することにより、音響を発生する場合を中心に説明した。
【００６０】
第１音響発生装置５００は、図７及び図８に示すように、第１電極５１０、第２電極５２０、振動層５３０、基板５４０、第１パッド５５０、及び第２パッド５６０を含み得る。
【００６１】
第１電極５１０は基板５４０の第１面上に配置され、第１電極５１０上には振動層５３０が配置され、振動層５３０上には第２電極５２０が配置され得る。第１パッド５５０と第２パッド５６０は基板５４０の第２面上に配置できる。
【００６２】
第１電極５１０と第２電極５２０は導電性物質で形成できる。例えば、導電性物質は、ＩＴＯ（ｉｎｄｉｕｍ  Ｔｉｎ  Ｏｘｉｄｅ）及びＩＺＯ（ｉｎｄｉｕｍ  Ｚｉｎｃ  Ｏｘｉｄｅ）などの透明導電性物質（ｔｒａｎｓｐａｒｅｎｔ  ｃｏｎｄｕｃｔｉｖｅ  ｍａｔｅｒｉａｌ）、不透明な金属物質、導電性ポリマー、カーボンナノチューブ（ＣＮＴ）などであり得る。
【００６３】
第１電極５１０は、基板５４０を貫通する第１コンタクトホールＣＨ１を介して第１パッド５５０に接続できる。これにより、第１電極５１０は、第１パッド５５０を介して音響回路ボード６００の音響駆動部６１０の第１駆動電圧の印加を受け得る。
【００６４】
第２電極５２０は、振動層５３０と基板５４０を貫通する第２コンタクトホールＣＨ２を介して第２パッド５６０に接続できる。これにより、第２電極５２０は、第２パッド５６０を介して音響回路ボード６００の音響駆動部６１０の第２駆動電圧の印加を受け得る。
【００６５】
振動層５３０は、第１電極５１０に印加された電圧と第２電極５２０に印加された電圧との差に応じて、図９に示すように変形する圧電アクチュエータ（ｐｉｅｚｏ  ａｃｔｕａｔｏｒ）であり得る。この場合、振動層５３０は、ＰＶＤＦ（Ｐｏｌｙ  Ｖｉｎｙｌｉｄｅｎｅ  Ｆｌｕｏｒｉｄｅ）フィルムやＰＺＴ（チタン酸ジルコン酸鉛）などの圧電体（ｐｉｅｚｏｅｌｅｃｔｒｉｃ）、及び電気活性高分子（Ｅｌｅｃｔｒｏ  Ａｃｔｉｖｅ  Ｐｏｌｙｍｅｒ）の少なくとも一つであり得る。
【００６６】
この場合、振動層５３０は、第１電極５１０に印加される第１駆動電圧と第２電極５２０に印加される第２駆動電圧との差に応じて、第１力Ｆ１に沿って収縮するか、又は、第２力Ｆ２に沿って弛緩、即ち膨張する。具体的に、図９に示すように、第１電極５１０に隣接した振動層５３０が正極性の特性を有し、第２電極５２０に隣接した振動層５３０が負極性の特性を有する場合、第１電極５１０に正極性の第１駆動電圧が印加され、第２電極５２０に負極性の第２駆動電圧が印加されると、振動層５３０は第１力Ｆ１に沿って収縮できる。また、第１電極５１０に隣接した振動層５３０が正極性の特性を有し、第２電極５２０に隣接した振動層５３０が負極性の特性を有する場合、第１電極５１０に負極性の第１駆動電圧が印加され、第２電極５２０に正極性の第２駆動電圧が印加されると、振動層５３０は第２力Ｆ２に沿って膨張できる。第１電極５１０に印加される第１駆動電圧と第２電極５２０に印加される第２駆動電圧が正極性と負極性に交互に繰り返される場合、振動層５３０は収縮と弛緩を繰り返す。これにより、第１音響発生装置５００は振動し、これにより、表示パネル３００は上下方向に振動するので第１音響を出力できる。
【００６７】
また、第１音響発生装置５００によって表示パネル３００を振動して第１音響を出力するので、表示パネル３００は振動板としての役割を果たす。振動板の大きさが大きいほど、振動板から出力される音響の音圧の強さが大きい。表示装置に適用されるスピーカの振動板の大きさは、表示パネル３００の面積に比べて小さいので、表示パネル３００を振動板として使用する場合又はスピーカを使用する場合よりも音響の音圧強度を大きくできる。
【００６８】
また、第１音響発生装置５００によって表示パネル３００を振動させて第１音響を出力できるので、表示装置１０は、外部に露出していない音響発生装置により音響を出力できる。これにより、表示装置１０の前面に配置される音響発生装置を削除できるので、ウィンドウ１００の透過部（ＤＡ１００）が広くなり得る。即ち、表示装置１０の表示領域が広くなり得る。
基板５４０は、絶縁性物質からなり得、例えば、プラスチックで形成できる。
【００６９】
第１パッド５５０と第２パッド５６０は音響回路ボード６００に接続できる。第１パッド５５０と第２パッド５６０は導電性物質で形成できる。
第１音響発生装置５００は音響回路ボード６００に接続できる。具体的には、音響回路ボード６００は、異方性導電フィルムを用いて、第１音響発生装置５００の第１及び第２パッド５５０、５６０上に付着できる。また、音響回路ボード６００には、図２に示すように音響接続部６２０が設けられ、音響接続部６２０は、表示回路ボード３１０の第２コネクタ３４０に接続され得る。音響回路ボード６００はフレキシブルプリント回路基板又はチップオンフィルムであり得る。
【００７０】
音響駆動部６１０は、集積回路として形成され、音響回路ボード６００上に装着できる。音響駆動部６１０は、メイン回路ボード９１０のメインプロセッサ９２０から提供される第１音響データに応答して、第１音響信号を生成できる。この場合、メインプロセッサ９２０の第１音響データは、メイン回路ボード９１０、表示回路ボード３１０、及び音響回路ボード６００を経由して音響駆動部６１０に提供され得、音響駆動部６１０の第１音響信号は音響回路ボード６００を介して第１音響発生装置５００へ伝送できる。
【００７１】
音響駆動部６１０は、デジタル信号である第１音響データを処理するデジタル信号処理部（ｄｉｇｉｔａｌ  ｓｉｇｎａｌ  ｐｒｏｃｅｓｓｅｒ、ＤＳＰ）、デジタル信号処理部で処理されたデジタル信号である第１音響データをアナログ信号である第１音響信号に変換するデジタルアナログ変換部（ｄｉｇｉｔａｌ  ａｎａｌｏｇ  ｃｏｎｖｅｒｔｅｒ、ＤＡＣ）、デジタルアナログ変換部で変換されたアナログ信号である第１音響信号を増幅して出力する増幅器（ａｍｐｌｉｆｉｅｒ、ＡＭＰ）などを含み得る。
【００７２】
一実施形態に係る表示装置は、第１音響発生装置５００を表示パネル３００の下方に配置されたパネル下部部材４００に付着させ、音響駆動部６１０が搭載された音響回路ボード６００に接続し、音響駆動部６１０を表示回路ボード３１０に接続することにより、第１音響発生装置５００と音響回路ボード６００を表示パネル３００と一体にモジュール化できる。
【００７３】
再度、図３を参照すると、圧力感知装置２５０はパネル下部部材４００の下方に付着できる。圧力感知装置２５０は、ユーザが押圧する圧力の感知が可能な圧力センサを含み得る。圧力感知装置は静電容量方式又は抵抗膜方式などにより実現できる。
【００７４】
圧力感知装置２５０はパネル状又はフィルム状に形成できる。又は、圧力感知装置２５０はタッチ感知装置２００と一体に形成できる。圧力感知装置２５０は、第１音響発生装置５００と干渉することを防止するために、図４及び図６に示すように、第１音響発生装置５００が配置される領域から除去できる。
【００７５】
圧力感知装置２５０の一側には圧力感知回路ボード２６０が付着できる。圧力感知回路ボード２６０は、異方性導電フィルムを用いて、圧力感知装置２５０の一側に設けられたパッド上に付着できる。また、圧力感知回路ボード２６０には、図３に示すように圧力感知接続部２８０が設けられ、圧力感知接続部２８０は、タッチ回路ボード２１０のコネクタ２４０に接続され得る。又は、圧力感知接続部２８０は、コネクタ２４０の代わりに異方性導電フィルムを用いてタッチ回路ボード２１０のパッド上に付着できる。又は、圧力感知接続部２８０は、タッチ回路ボード２１０ではなく、表示回路ボード３１０に接続できる。圧力感知回路ボード２６０はフレキシブルプリント回路基板又はチップオンフィルムであり得る。
【００７６】
圧力感知部２７０は、圧力感知装置２５０に圧力駆動信号ＰＳを印加し、圧力感知装置２５０からの圧力感知信号ＰＤＳの入力を受ける。圧力感知部２７０は、圧力感知信号ＰＤＳを分析して、ユーザが表示装置１０の前面を加圧する程度、即ち圧力情報を算出することができる。圧力感知部２７０は、集積回路で形成され、圧力感知回路ボード２６０上に装着できる。又は、圧力感知部２７０は、タッチ駆動部２２０に統合形成できる。この場合、圧力感知回路ボード２６０上に装着される圧力感知部２７０は省略できる。
【００７７】
パネル下部部材４００と音響回路ボード６００の下方には下部ブラケット８００が配置できる。下部ブラケット８００は、カバーウィンドウ１００、タッチ感知装置２００、表示パネル３００、パネル下部部材４００、第１音響発生装置５００、タッチ回路ボード２１０、表示回路ボード３１０、及び音響回路ボード６００を取り囲むように配置できる。下部ブラケット８００は、合成樹脂、金属、又は合成樹脂と金属の両方から形成できる。
【００７８】
表示装置１０の実施形態によって、下部ブラケット８００の側面は表示装置１０の側面に露出でき、或いは、下部ブラケット８００は省略され、下部カバー９００のみが存在する場合もあり得る。
【００７９】
再び図２を参照すると、下部ブラケット８００の下方にはメイン回路ボード９１０が配置できる。メイン回路ボード９１０は、メインコネクタ９９０に接続されたケーブルを介して表示回路ボード３１０の第３コネクタ３５０に接続できる。これにより、メイン回路ボード９１０は、表示回路ボード３１０、タッチ回路ボード２１０及び音響回路ボード６００に接続できる。メイン回路ボード９１０は、プリント回路基板（ｐｒｉｎｔｅｄ  ｃｉｒｃｕｉｔ  ｂｏａｒｄ）又はフレキシブルプリント回路基板であり得る。
【００８０】
メイン回路ボード９１０は、図２に示すようにメインプロセッサ９２０、第２音響発生装置９３０、充電端子９５０、及びカメラ装置９６０を含むことができる。図２では、メインプロセッサ９２０、第２音響発生装置９３０、充電端子９５０及びカメラ装置９６０が、下部ブラケット８００と向かい合うメイン回路ボード９１０の一面上に装着されることを例示したが、これに限定されない。即ち、メインプロセッサ９２０、第２音響発生装置９３０、充電端子９５０及びカメラ装置９６０は、下部カバー９００と向かい合うメイン回路ボード９１０の他面上に装着できる。
【００８１】
メインプロセッサ９２０は、表示装置１０の全ての機能を制御できる。例えば、メインプロセッサ９２０は、表示パネル３００が映像を表示するように映像データを表示回路ボード３１０の表示駆動部３２０へ出力できる。また、メインプロセッサ９２０は、第１音響発生装置５００が音響を出力するように、表示回路ボード３１０を経由して第１音響データを音響回路ボード６００の音響駆動部６１０へ出力できる。また、メインプロセッサ９２０は、第２音響発生装置９３０が音響を出力するように第２音響信号を第２音響発生装置９３０へ出力できる。第１音響データはデジタルデータであり、第２音響信号はアナログ信号であり得る。さらに、メインプロセッサ９２０はカメラ装置９６０の駆動を制御できる。メインプロセッサ９２０は、集積回路からなるアプリケーションプロセッサ（ａｐｐｌｉｃａｔｉｏｎ  ｐｒｏｃｅｓｓｏｒ）、中央処理装置（ｃｅｎｔｒａｌ  ｐｒｏｃｅｓｓｉｎｇ  ｕｎｉｔ）、又はシステムチップ（ｓｙｓｔｅｍ  ｃｈｉｐ）であり得る。
【００８２】
第２音響発生装置９３０はスピーカ（ｓｐｅａｋｅｒ）であり得る。具体的には、第２音響発生装置９３０は、メインプロセッサ９２０から第２音響信号の入力を直接受けたり、第２音響発生装置用増幅器から増幅された第２音響信号の入力を受けたりすることができる。第２音響発生装置９３０は第２音響信号に基づいて第２音響を出力することができる。
【００８３】
第２音響発生装置９３０はメイン回路ボード９１０の一側に配置できる。例えば、図２に示すように、第２音響発生装置９３０は、メイン回路ボード９１０の下側に配置され、下部カバー９００の下側に配置された第１、第２スピーカホールＳＨ１、ＳＨ２を介して表示装置１０の下側に第２音響を提供できる。図１及び図２では、第２音響発生装置９３０が充電端子９５０を挟んで、充電端子９５０の一側に配置された第２−１音響発生装置９３１と充電端子９５０の他側に配置された第２−２音響発生装置９３２とを含む場合を例示したが、これに限定されない。例えば、第２音響発生装置９３０は、充電端子９５０の一側及び他側の何れかのみに配置できる。又は、充電端子９５０は、第２−１音響発生装置９３１が配置された位置及び第２−２音響発生装置９３２が配置された位置の何れかに配置でき、第２音響発生装置９３０は、充電端子９５０が配置されていない残りの位置に配置できる。
【００８４】
充電端子９５０は、外部から電源の供給を受ける端子であり、メイン回路ボード９１０の電源供給部に接続できる。
カメラ装置９６０は、カメラモードでイメージセンサにより得られる静止画像又は動画像などの画像フレームを処理して、メインプロセッサ９２０へ出力する。
【００８５】
この他、メイン回路ボード９１０には、移動通信網上で基地局、外部の端末、サーバの少なくとも一つと無線信号の送受信が可能な移動通信モジュールをさらに装着できる。無線信号は、音声信号、ビデオ通話信号、又は文字／マルチメディアメッセージの送受信による多様な形態のデータを含み得る。
【００８６】
下部カバー９００は、下部ブラケット８００とメイン回路ボード９１０の下方に配置できる。下部カバー９００は表示装置１０の下面外観を形成できる。下部カバー９００の一側面には、充電端子９５０を露出させるための充電端子ホールＣＴと第２音響発生装置９３０の音響出力のためのスピーカホールＳＨ１、ＳＨ２が形成され得る。下部カバー９００はプラスチック及び／又は金属を含み得る。
【００８７】
図１０はユーザの耳と表示装置とが接触しない場合、圧力なしに接触する場合、第１圧力で接触する場合、及び第２圧力で接触する場合における、ユーザの耳に提供された音響の周波数による音圧レベルを示すグラフである。
【００８８】
図１０には、ユーザが表示装置１０を用いて通話するとき、耳を表示装置１０の前面に接触しない場合には音圧レベル（ｓｏｕｎｄ  ｐｒｅｓｓｕｒｅ  ｌｅｖｅｌ、ＳＰＬ）ＦＢ１、圧力なしに接触した場合には音圧レベルＦＢ２、第１圧力で接触した場合には音圧レベルＦＢ３、第２圧力で接触した場合には音圧レベルＦＢ４が示されている。前記４つの場合における、表示装置１０の第１音響発生装置５００によって発生した音響の周波数による音圧レベルは、図１０に示すように互いに異なる。
【００８９】
ユーザが耳（ＥＡＲ）を図１１（ａ）のように表示装置１０の前面に接触する場合の音圧レベルＦＢ２、ＦＢ３、ＦＢ４は、図１１（ｂ）のように接触しない場合の音圧レベルＦＢ１に比べて１．５ｋＨｚ以下の周波数領域で音圧レベルが略２０ｄＢ以上高い。また、ユーザが耳（ＥＡＲ）を表示装置１０の前面に接触する圧力が増加するほど、１．５ｋＨｚ以下の周波数領域で音圧レベルが７〜１４ｄＢ高くなり、１．５ｋＨｚ以上の周波数領域で音圧レベルが類似する。
【００９０】
従って、ユーザが表示装置１０を用いて通話するとき、耳（ＥＡＲ）が表示装置１０の前面に接触するか否かと、どの程度の圧力で接触するかに応じて、周波数領域別に音圧レベルを調整することにより、ユーザに最適の通話音響品質を提供する必要がある。以下、図面を参照してこれについて詳細に説明する。
【００９１】
図１２は一実施形態による表示装置のメインプロセッサ、音響駆動部、第１音響発生装置、タッチ駆動部、タッチ感知装置、圧力駆動部、及び圧力感知装置を示すブロック図である。図１３は図１２のメインプロセッサと音響駆動部の一例を示すブロック図である。
【００９２】
図１２及び図１３を参照すると、タッチ駆動部２２０は、タッチ感知装置２００にタッチ駆動信号ＴＳを印加し、タッチ感知装置２００から感知信号ＤＳの入力を受ける。タッチ駆動部２２０は、感知信号ＤＳを分析してユーザのタッチ位置を算出できる。タッチ駆動部２２０は、ユーザのタッチ位置に関する情報を含むタッチデータＴＤをメインプロセッサ９２０へ出力する。
【００９３】
圧力感知部２７０は、圧力感知装置２５０に圧力駆動信号ＰＳを印加し、圧力感知装置２５０から圧力感知信号ＰＤＳの入力を受ける。圧力感知部２７０は、圧力感知信号ＰＤＳを分析して、ユーザが表示装置１０の前面を加圧する程度を算出することができる。圧力感知部２７０は、ユーザが表示装置１０を押圧する圧力に関する情報を含む圧力データＰＤをメインプロセッサ９２０へ出力する。
【００９４】
メインプロセッサ９２０は、図１３のようにデジタル信号処理部（ｄｉｇｉｔａｌ  ｓｉｇｎａｌ  ｐｒｏｃｅｓｓｏｒ）９２１を含み得る。デジタル信号処理部９２１は、タッチデータＴＤと圧力データＰＤに基づいて、音響駆動部６１０へ出力する前に第１音響データＳＤ１と第２音響データＳＤ２を周波数領域別に変調する。デジタル信号処理部９２１は、変調された第１音響データＳＤ１と第２音響データＳＤ２を音響駆動部６１０へ出力する。デジタル信号処理部９２１の第１音響データＳＤ１と第２音響データＳＤ２の変調方法についての詳細説明は、図１４を参照して詳細に説明する。
【００９５】
音響駆動部６１０は、図１３に示すように、デジタルアナログ変換部（ｄｉｇｉｔ  ａｌａｎａｌｏｇ  ｃｏｎｖｅｒｔｅｒ）６１１と増幅部（ａｍｐｌｉｆｉｅｒ）６１２を含む。デジタルアナログ変換部６１１は、変調された第１音響データＳＤ１と変調された第２音響データＳＤ２を第１駆動電圧ＤＶ１と第２駆動電圧ＤＶ２に変換する。増幅部６１２は、第１駆動電圧ＤＶ１と第２駆動電圧ＤＶ２を増幅して第１音響発生装置５００へ出力する。
【００９６】
図１４は一実施形態に係る表示装置の駆動方法を示すフローチャートである。
図１４を参照すると、第一に、メインプロセッサ９２０は、表示装置１０が通話モードで駆動中であるかを判断する。通話モードは、メイン回路ボード９１０の移動通信モジュールを介してユーザが音声通話又はビデオ通話を行うモードを示す（図１４のＳ１０１の「はい」）。
【００９７】
第二に、メインプロセッサ９２０は、表示装置１０が通話モードで駆動中である場合、タッチ感知装置２００によってユーザの耳が表示装置１０の前面に接触しているかを判断する。メインプロセッサ９２０は、タッチ感知装置２００によってユーザの耳が表示装置１０の前面に接触していない場合、第１音響発生装置５００の音響出力を第１モードで制御する（図１４のＳ１０２）。
【００９８】
第三に、メインプロセッサ９２０は、第１モードで第１音響発生装置５００によって発生する音響の音圧レベルが、第１周波数領域ＦＲ１で第１音圧レベルＳＰＬ１と第２音圧レベルＳＰＬ２との間にあり、第２周波数領域ＦＲ２で第３音圧レベルＳＰＬ３と第２音圧レベルＳＰＬ２との間にあり、第３周波数領域ＦＲ３で第１音圧レベルＳＰＬ１と第２音圧レベルＳＰＬ２との間にあるように、第１音響データＳＤ１と第２音響データＳＤ２を変調する。第１周波数領域ＦＲ１は、周波数が０Ｈｚよりも大きく１．５ｋＨｚ以下である領域を示し、第２周波数領域ＦＲ２は、周波数が１．５ｋＨｚよりも大きく３ｋＨｚ以下である領域を示し、第３周波数領域ＦＲ３は、周波数が３ｋＨｚよりも大きく８ｋＨｚ以下である領域を示す（図１４のＳ１０３）。
【００９９】
具体的には、図１５（ａ）の第１曲線Ｃ１は、ユーザの耳が表示装置１０の前面に接触していない場合、一実施形態によって変調されていない第１音響データＳＤ１と第２音響データＳＤ２に基づいて第１音響発生装置５００によって発生した音響の音圧レベルを示す。図１５（ａ）の第１’曲線Ｃ１’は、ユーザの耳が表示装置１０の前面に接触していない場合、一実施形態によって変調された第１音響データＳＤ１’と第２音響データＳＤ２’に基づいて第１音響発生装置５００によって発生した音響の音圧レベルを示す。
【０１００】
音圧レベルが図１５（ａ）に示す第１’曲線Ｃ１’のように周波数２００Ｈｚ〜５ｋＨｚで第３音圧レベルＳＰＬ３と第２音圧レベルＳＰＬ２との間にある場合、周波数に関係なく、音圧レベルが均一に維持されているので、ユーザに最適の音質を提供できる。ところが、ユーザの耳が表示装置１０の前面に接触していない場合、第１音響発生装置５００によって発生した音響の音圧レベルは、図１５（ａ）の第１曲線Ｃ１のように第１周波数領域ＦＲ１乃至第３周波数領域ＦＲ３で均一ではない。即ち、図１５（ａ）の第１曲線Ｃ１に示すように、音圧レベルは、第１周波数領域ＦＲ１と第２周波数領域ＦＲ２における、周波数が２ｋＨｚよりも低い領域で第３音圧レベルＳＰＬ３よりも小さい。また、図１５（ａ）の第１曲線Ｃ１のように、第２周波数領域ＦＲ２における周波数２ｋＨｚ以上の領域と第３周波数領域ＦＲ３で第３音圧レベルＳＰＬ３よりも高い。
【０１０１】
従って、周波数に関係なく音圧レベルを維持することにより、ユーザに最適の音質を提供するためには、例えば上述の図１５（ａ）の第１’曲線Ｃ１’のように、第１周波数領域ＦＲ１で音圧レベルを第３音圧レベルＳＰＬ３よりも上げなければならず、第２周波数領域ＦＲ２及び第３周波数領域ＦＲ３で音圧レベルを下げなければならない。各周波数領域で音圧レベルを上げるべきか下げるべきかは、各周波数領域の音圧レベルの最大値を基準に判断する。よって、第２周波数領域ＦＲ２の音圧レベルよりも第３周波数領域ＦＲ３で音圧レベルをさらに下げなければならない。
【０１０２】
そのため、メインプロセッサ９２０のデジタル信号処理部９２１は、周波数領域別に第１音響データＳＤ１と第２音響データＳＤ２を変調する。具体的には、第１音響発生装置５００の第１電極５１０に印加される第１駆動電圧ＤＶ１と第２電極５２０に印加される第２駆動電圧ＤＶ２との電圧差が大きくなるほど、第１音響発生装置５００の振動層５３０の振動強度が高くなる。よって、デジタル信号処理部９２１は、第１周波数領域ＦＲ１で音圧レベルを第３音圧レベルＳＰＬ３よりも上げるために、図１５（ｂ）に示すように、第１音響発生装置５００に印加される第１駆動電圧ＤＶ１と第２駆動電圧ＤＶ２との電圧差が大きくなるよう、第１音響データＳＤ１と第２音響データＳＤ２を変調する。また、デジタル信号処理部９２１は、第２周波数領域ＦＲ２で音圧レベルを下げるために、図１５（ｂ）に示すように、第１音響発生装置５００に印加される第１駆動電圧ＤＶ１と第２駆動電圧ＤＶ２との電圧差が小さくなるよう、第１音響データＳＤ１と第２音響データＳＤ２を変調する。また、デジタル信号処理部９２１は、第３周波数領域ＦＲ３で音圧レベルを下げるために、図１５（ｂ）に示すように、第１音響発生装置５００に印加される第１駆動電圧ＤＶ１と第２駆動電圧ＤＶ２との電圧差が小さくなるよう、第１音響データＳＤ１と第２音響データＳＤ２を変調する。このとき、図１５（ｂ）に示すように、第３周波数領域ＦＲ３における第１駆動電圧ＤＶ１と第２駆動電圧ＤＶ２との電圧差の減少値は、第２周波数領域ＦＲ２における第１駆動電圧ＤＶ１と第２駆動電圧ＤＶ２との電圧差の減少値よりも大きいことがある。結果として、デジタル信号処理部９２１は、第１乃至第３周波数領域ＦＲ１、ＦＲ２、ＦＲ３における、第１音響発生装置５００に印加される第１駆動電圧ＤＶ１と第２駆動電圧ＤＶ２との電圧差の増減を全て考慮して、第１音響データＳＤ１と第２音響データＳＤ２を変調する。
【０１０３】
第四に、メインプロセッサ９２０は、タッチ感知装置２００によってユーザの耳が表示装置１０の前面に接触した場合、圧力感知装置２５０によって感知された圧力が第１圧力以下であるかを判断する。メインプロセッサ９２０は、圧力感知装置２５０によって感知された圧力が第１圧力以下である場合、第１音響発生装置５００の音響出力を第２モードで制御する（図１４のＳ１０４）。
【０１０４】
第五に、メインプロセッサ９２０は、第２モードで第１音響発生装置５００によって発生する音響の音圧レベルが、第１周波数領域ＦＲ１で第１音圧レベルＳＰＬ１と第２音圧レベルＳＰＬ２との間にあり、第２周波数領域ＦＲ２で第３音圧レベルＳＰＬ３と第２音圧レベルＳＰＬ２との間にあり、第３周波数領域ＦＲ３で第１音圧レベルＳＰＬ１と第２音圧レベルＳＰＬ２との間にあるように、第１音響データＳＤ１と第２音響データＳＤ２を変調する（図１４のＳ１０５）。
【０１０５】
具体的には、図１６（ａ）の第２曲線Ｃ２は、ユーザの耳が表示装置１０の前面を押圧する圧力が第１圧力以下である場合、一実施形態によって変調されていない第１音響データＳＤ１と第２音響データＳＤ２に基づいて第１音響発生装置５００によって発生した音響の音圧レベルを示す。図１６（ａ）の第２’曲線Ｃ２’は、ユーザの耳が表示装置１０の前面を押圧する圧力が第１圧力以下である場合、一実施形態によって変調された第１音響データＳＤ１と第２音響データＳＤ２に基づいて第１音響発生装置５００によって発生した音響の音圧レベルを示す。
【０１０６】
音圧レベルが図１６（ａ）のように周波数２００Ｈｚ乃至５ｋＨｚで第３音圧レベルＳＰＬ３と第２音圧レベルＳＰＬ２との間にある場合、周波数に関係なく、音圧レベルを均一に維持することができるので、ユーザに最適の音質を提供することができる。ところが、図１６（ａ）の第２曲線Ｃ２のようにユーザの耳が表示装置１０の前面を押圧する圧力が第１圧力以下である場合、第１音響発生装置５００によって発生した音響の音圧レベルは、第１周波数領域ＦＲ１乃至第３周波数領域ＦＲ３で均一ではない。即ち、図１６（ａ）の第２曲線Ｃ２のように、音圧レベルは、第１周波数領域ＦＲ１で第３音圧レベルＳＰＬ３の近くで上り下りしており、第２周波数領域ＦＲ２で第３音圧レベルＳＰＬ３と第２音圧レベルＳＰＬ２との間にある。また、図１６（ａ）の第２曲線Ｃ２のように、音圧レベルの最大値は、第３周波数領域ＦＲ３における周波数５ｋＨｚ乃至８ｋＨｚの領域で第２音圧レベルＳＰＬを有する。
【０１０７】
従って、周波数に関係なく音圧レベルを維持することにより、ユーザに最適の音質を提供するためには、図１６（ａ）の第２’曲線Ｃ２’のように、第１周波数領域ＦＲ１で音圧レベルを第３音圧レベルＳＰＬ３よりも上げなければならず、第２周波数領域ＦＲ２と第３周波数領域ＦＲ３で音圧レベルを下げなければならない。各周波数領域で音圧レベルを上げるべきか下げるべきかは、各周波数領域の音圧レベルの最大値を基準に判断する。よって、第２周波数範囲ＦＲ２の音圧レベルよりも第３周波数領域ＦＲ３で音圧レベルをさらに下げなければならない。
【０１０８】
そのため、メインプロセッサ９２０のデジタル信号処理部９２１は、周波数領域別に第１音響データＳＤ１と第２音響データＳＤ２を変調する。具体的には、デジタル信号処理部９２１は、第１周波数領域ＦＲ１で音圧レベルを第３音圧レベルＳＰＬ３よりも上げるために、図１６（ｂ）に示すように、第１音響発生装置５００に印加される第１駆動電圧ＤＶ１と第２駆動電圧ＤＶ２との電圧差が大きくなるよう、第１音響データＳＤ１と第２音響データＳＤ２を変調する。また、デジタル信号処理部９２１は、第２周波数領域ＦＲ２で音圧レベルを下げるために、図１６（ｂ）に示すように、第１音響発生装置５００に印加される第１駆動電圧ＤＶ１と第２駆動電圧ＤＶ２との電圧差が小さくなるよう、第１音響データＳＤ１と第２音響データＳＤ２を変調する。また、デジタル信号処理部９２１は、第３周波数領域Ｒ３で音圧レベルを下げるために、図１６（ｂ）に示すように、第１音響発生装置５００に印加される第１駆動電圧ＤＶ１と第２駆動電圧ＤＶ２との電圧差が小さくなるよう、第１音響データＳＤ１と第２音響データＳＤ２を変調する。この際、図１６（ｂ）に示すように、第３周波数領域ＦＲ３で第１駆動電圧ＤＶ１と第２駆動電圧ＤＶ２との電圧差の減少値は、第２周波数領域ＦＲ２で第１駆動電圧ＤＶ１と第２駆動電圧ＤＶ２との電圧差の減少値よりも大きいことがある。結果として、デジタル信号処理部９２１は、第１乃至第３周波数領域ＦＲ１、ＦＲ２、ＦＲ３における、第１音響発生装置５００に印加される第１駆動電圧ＤＶ１と第２駆動電圧ＤＶ２との電圧差の増減を考慮して、第１音響データＳＤ１と第２音響データＳＤ２を変調する。
【０１０９】
第六に、メインプロセッサ９２０は、タッチ感知装置２００によってユーザの耳が表示装置１０の前面に接触した場合、圧力感知装置２５０によって感知された圧力が第１圧力よりも大きく第２圧力以下であるかを判断する。メインプロセッサ９２０は、圧力感知装置２５０によって感知された圧力が第１圧力よりも大きく第２圧力以下である場合、第１音響発生装置５００の音響出力を第３モードで制御する。また、メインプロセッサ９２０は、圧力感知装置２５０によって感知された圧力が第２圧力よりも大きい場合、第１音響発生装置５００の音響出力を第４モードで制御する（図１４のＳ１０６）。
【０１１０】
メインプロセッサ９２０は、図１７（ａ）に示すように、第３モードで第１音響データＳＤ１と第２音響データＳＤ２を変調しなくても、第１音響発生装置５００によって発生した音響の音圧レベルが周波数２００Ｈｚ乃至５ｋＨｚで第３音圧レベルＳＰＬ３と第２音圧レベルＳＰＬ２との間にある。よって、メインプロセッサ９２０は、図１７（ｂ）に示すように、第３モードで第１音響データＳＤ１と第２音響データＳＤ２を変調しない。
第七に、メインプロセッサ９２０は、第４モードにおいて、第１周波数領域ＦＲ１で音圧レベルを上げ、第２周波数領域ＦＲ２と第３周波数領域ＦＲ３で音圧レベルを下げる（図１４のＳ１０７）。
【０１１１】
具体的には、ユーザが通話モードで騒音の大きい環境にある場合、相手の音声を円滑に聴取するために、表示装置１０の前面を耳で加圧することが一般的である。また、図１８に示すように、表示装置１０の前面が物体に接触しない場合、第１音響発生装置５００によって発生した音響は全方向に発散する。しかし、図１９に示すように、表示装置１０の前面が物体に接触する場合、第１音響発生装置５００によって発生した音響のうち、音圧レベル２ｋＨｚ以下の音響は正面に指向し、２ｋＨｚ以上の音響は全方向に発散する。
【０１１２】
従って、ユーザが通話モードで騒音の大きい環境にある場合、正面指向性の高い２ｋＨｚ以下である音響の音圧レベルを上げるならば、ユーザは相手の音声を円滑に聴取することができる。よって、メインプロセッサ９２０は、図２０に示すように、２ｋＨｚ以下である周波数領域の音響の音圧レベルを上げ、２ｋＨｚよりも高い周波数領域の音響の音圧レベルを下げることもできる。例えば、メインプロセッサ９２０は、２ｋＨｚ以下の周波数を通過させ、２ｋＨｚを超える周波数を遮断するローパスフィルタ（ｌｏｗ  ｐａｓｓ  ｆｉｌｔｅｒ）を含むことができる。この場合、第１音響発生装置５００によって発生した音響の音圧レベルは、２ｋＨｚ以上の周波数で大幅に減少する。これにより、第１音響発生装置５００によって発生した音響の音圧レベルは、５ｋＨｚ以上の周波数で第４音圧レベルＳＰＬ４以下であり得る。第４音圧レベルＳＰＬ４は、第３音圧レベルＳＰＬ３よりも低いことがあり、例えば３５ｄＢ以下であり得る。
【０１１３】
又は、メインプロセッサ９２０は、第４モードにおいて、第１周波数領域ＦＲ１で音圧レベルを上げ、第２周波数領域ＦＲ２と第３周波数領域ＦＲ３で音圧レベルを下げることができる。そのため、メインプロセッサ９２０のデジタル信号処理部９２１は、周波数領域別に第１音響データＳＤ１と第２音響データＳＤ２を変調する。具体的には、デジタル信号処理部９２１は、第１周波数領域ＦＲ１で音圧レベルを上げるために、第１音響発生装置５００に印加される第１駆動電圧ＤＶ１と第２駆動電圧ＤＶ２との電圧差が大きくなるように、第１音響データＳＤ１と第２音響データＳＤ２を変調する。また、デジタル信号処理部９２１は、第２周波数領域ＦＲ２と第３周波数領域ＦＲ３で音圧レベルを下げるために、図１６（ｂ）に示すように、第１音響発生装置５００に印加される第１駆動電圧ＤＶ１と第２駆動電圧ＤＶ２との電圧差が小さくなるように、第１音響データＳＤ１と第２音響データＳＤ２を変調する。結果として、デジタル信号処理部９２１は、第１乃至第３周波数領域ＦＲ１、ＦＲ２、ＦＲ３における、第１音響発生装置５００に印加される第１駆動電圧ＤＶ１と第２駆動電圧ＤＶ２との電圧差の増減を全て考慮して、第１音響データＳＤ１と第２音響データＳＤ２を変調する。
【０１１４】
以上で説明したように、図１４に示された駆動方法による表示装置１０によれば、ユーザの耳が表示装置１０の前面に接触するかと、ユーザの耳が表示装置１０の前面を押圧する圧力を考慮して、第１音響データＳＤ１と第２音響データＳＤ２を変調することにより、周波数領域別に音圧レベルを上げたり下げたりすることができる。よって、ユーザの耳が表示装置の前面に接触するかとユーザの耳が表示装置の前面を押圧する圧力に関係なく、低周波数領域、中周波数領域及び高周波数領域の何れでも音響の音圧レベルを均一に維持できるので、高品質の音響を提供できる。
【０１１５】
図２１は別の実施形態に係る表示装置の駆動方法を示すフローチャートである。
図２１に示されたＳ２０１乃至Ｓ２０３は、図１４を結び付けて説明したＳ１０１乃至Ｓ１０３と実質的に同様である。よって、図２１に示されたＳ２０１乃至Ｓ２０３の詳細な説明は省略する。
【０１１６】
メインプロセッサ９２０は、タッチ感知装置２００によってユーザの耳が表示装置１０の前面に接触した場合には、ユーザの耳の接触面積が図２２（ａ）のように第１面積Ａ１以下であるかを判断する。メインプロセッサ９２０は、タッチデータＴＤを分析してユーザの耳の接触面積を判断することができる。例えば、メインプロセッサ９２０は、ユーザのタッチが感知されたタッチセルの個数に基づいてタッチ面積を算出することができる。
【０１１７】
ユーザが表示装置１０の前面を押圧する圧力が増加するにつれて、ユーザの耳の接触面積が増加するので、メインプロセッサ９２０は、ユーザの耳の接触面積が第１面積Ａ１以下である場合、ユーザの耳が表示装置１０の前面を第１圧力以下で押圧すると判断できる。よって、メインプロセッサ９２０は、ユーザの耳の接触面積が第１面積Ａ１以下である場合、第１音響発生装置５００の音響出力を第２モードで制御する（図２１のＳ２０４）。
【０１１８】
図２１に示されたＳ２０５は、図１４を結び付けて説明したＳ１０５と実質的に同様なので、図２１に示されたＳ２０５についての詳細説明は省略する。
【０１１９】
次に、メインプロセッサ９２０は、タッチ感知装置２００によってユーザの耳が表示装置１０の前面に接触した場合、ユーザの耳の接触面積が図２２（ａ）のように第１面積Ａ１よりも大きく、図２２（ｂ）のように第２面積Ａ２以下であるかを判断する。
【０１２０】
ユーザが表示装置１０の前面を押圧する圧力が増加するにつれて、ユーザの耳の接触面積が増加するので、メインプロセッサ９２０は、ユーザの耳の接触面積が第１面積Ａ１よりも大きく第２面積Ａ２以下である場合、ユーザの耳が表示装置１０の前面を第１圧力より大きく第２圧力より小さい圧力で押圧すると判断することができる。よって、メインプロセッサ９２０は、ユーザの耳の接触面積が第１面積Ａ１よりも大きく第２面積Ａ２以下である場合、第１音響発生装置５００の音響出力を第３モードで制御する。また、メインプロセッサ９２０は、ユーザの耳の接触面積が第２面積Ａ２よりも大きい場合、第１音響発生装置５００の音響出力を第４モードで制御する（図１４のＳ２０６）。
【０１２１】
メインプロセッサ９２０が、図１７（ａ）に示すように、第３モードで第１音響データＳＤ１と第２音響データＳＤ２を変調しなくても、第１音響発生装置５００によって発生した音響の音圧レベルが周波数２００Ｈｚ乃至５ｋＨｚで第３音圧レベルＳＰＬ３と第２音圧レベルＳＰＬ２との間にある。よって、メインプロセッサ９２０は、図１７（ｂ）に示すように、第３モードで第１音響データＳＤ１と第２音響データＳＤ２を変調しない。
図２１に示されたＳ２０７は、図１４を結び付けて説明したＳ１０７と実質的に同様なので、図２１に示されたＳ２０７についての詳細説明は省略する。
【０１２２】
以上で説明したように、図２１に示された駆動方法による表示装置１０によれば、ユーザの耳が表示装置１０の前面に接触するかと、ユーザの耳が表示装置１０の前面を押圧する圧力を考慮して、第１音響データＳＤ１と第２音響データＳＤ２を変調することにより、周波数領域別に音圧レベルを上げたり下げたりすることができる。よって、ユーザの耳が表示装置の前面に接触するかとユーザの耳が表示装置の前面を押圧する圧力に関係なく、低周波数領域、中周波数領域及び高周波数領域の何れで音響の音圧レベルを均一に維持することができるので、高品質の音響を提供することができる。
【０１２３】
また、図２１に示された駆動方法による表示装置１０によれば、圧力感知装置２５０の代わりにタッチ感知装置２００を用いて感知されたユーザの耳の接触面積を判断することにより、ユーザの耳が表示装置の前面を押圧する圧力を判断することができる。よって、表示装置１０の前面から押圧する圧力を感知するための圧力感知装置２５０を省略することができる。
【０１２４】
以上、添付図面を参照して本発明の実施形態を説明したが、本発明の属する技術分野における通常の知識を有する者は、本発明のその技術的思想や必須の特徴を変更せず、異なる具体的な形態で実施できるということを理解することができるだろう。よって、以上で記述した実施形態は、すべての面で例示的なもので、限定的なものではないと理解すべきである。
【符号の説明】
【０１２５】
１００    カバーウィンドウ
１１０    接着層
２００    タッチ感知装置
２１０    タッチ回路ボード
２２０    タッチ駆動部
２３０    タッチ接続部
２４０    タッチ回路ボード２１０のコネクタ
２５０    圧力感知装置
２６０    圧力感知回路ボード
２７０    圧力感知部
２８０    圧力感知接続部
３００    表示パネル
３０１    支持基板
３０２    フレキシブル基板
３０３    薄膜トランジスタ層
３０４    発光素子層
３０５    封止層
３０６    バリアフィルム  ３１０    表示回路ボード
３２０    表示駆動部
３３０    第１コネクタ
３３１    アクティブ層
３３２    ゲート電極
３３３    ソース電極
３３４    ドレイン電極
３３５    薄膜トランジスタ
３３６    ゲート絶縁膜
３３７    層間絶縁膜
３３８    保護膜
３３９    平坦化膜
３４０    第２コネクタ
３４１    アノード電極
３４２    発光層
３４３    カソード電極
３４４    画素定義膜
３５０    第３コネクタ
４００    パネル下部部材  ４１０    光吸収部材
４２０    緩衝部材
４３０    放熱部材
４３１、４３２    第１、第２放熱層
４３３    第４接着層
４４１、４４２、４４３    第１、第２、第３接着層
５００    第１音響発生装置
５１０    第１電極
５２０    第２電極
５３０    振動層
５４０    基板
５５０、５６０    第１、第２パッド
６００    音響回路ボード
６１０    音響駆動部
６１１    デジタルアナログ変換部
６１２    増幅部
６２０    音響接続部
８００    下部ブラケット
９００    下部カバー
９１０    メイン回路ボード
９２０    メインプロセッサ
９２１    デジタル信号処理部
９３０    第２音響発生装置
９３１、９３２    第２−１、第２−２音響発生装置
９５０    充電端子
９６０    カメラ装置
ＣＨ１、ＣＨ２    第１、第２コンタクトホール
ＣＴ    充電端子ホール
ＤＡ    表示領域
ＤＡ１００    透過部
ＤＶ１、ＤＶ２    第１、第２駆動電圧
ＮＤＡ    非表示領域
ＮＤＡ１００    遮光部
ＰＤ    圧力データ
ＰＤＳ    圧力感知信号
ＰＳ    圧力駆動信号
ＳＤ１、ＳＤ２    変調された第１、第２音響データ
ＳＨ１，ＳＨ２    第１、第２スピーカホール
ＴＤ    タッチデータ
【図１】
2020058013.tif 000003
【図２】
2020058013.tif 000004
【図３】
2020058013.tif 000005
【図４】
2020058013.tif 000006
【図５】
2020058013.tif 000007
【図６】
2020058013.tif 000008
【図７】
2020058013.tif 000009
【図８】
2020058013.tif 000010
【図９】
2020058013.tif 000011
【図１０】
2020058013.tif 000012
【図１１】
2020058013.tif 000013
【図１２】
2020058013.tif 000014
【図１３】
2020058013.tif 000015
【図１４】
2020058013.tif 000016
【図１５】
2020058013.tif 000017
【図１６】
2020058013.tif 000018
【図１７】
2020058013.tif 000019
【図１８】
2020058013.tif 000020
【図１９】
2020058013.tif 000021
【図２０】
2020058013.tif 000022
【図２１】
2020058013.tif 000023
【図２２】
2020058013.tif 000024